(57)【要約】  ディスプレイ基材（１３）に、互いに関して所定の位置にカラー素子（９、１０、１１）とアドレス指定用バスバー（８）を設ける方法は、転写キャリア（１）の表面上に前記カラー素子（９、１０、１１）及び前記バスバー（８）を形成すること；前記カラー素子（９、１０、１１）及び前記バスバー（８）を前記ディスプレイ基材（１３）に付着させること；及び、前記転写キャリア（１）を除去することを包含する。【選択図】図６
2007534982.tif 000002
【特許請求の範囲】
【請求項１】
ディスプレイ基材に、互いに関して所定の位置にカラー素子とアドレス指定用バスバーを設ける方法であって：
転写キャリアの表面上に前記カラー素子及び前記バスバーを形成すること；
前記カラー素子及び前記バスバーを前記ディスプレイ基材に付着させること；及び
前記転写キャリアを除去すること、
を包含する、方法。
【請求項２】
前記転写キャリアの前記表面が平坦である、請求項１に記載の方法。
【請求項３】
前記カラー素子の各々が、可視光の少なくとも１つの波長帯域を吸収、反射又は散乱する、請求項１又は２に記載の方法。
【請求項４】
前記カラー素子が光フィルタであり、赤色光を透過する少なくとも１つの光フィルタと、緑色光を透過する少なくとも１つの光フィルタと、青色光を透過する少なくとも１つの光フィルタとを含む、請求項３に記載の方法。
【請求項５】
前記カラー素子が放出性の素子である、請求項１又は２に記載の方法。
【請求項６】
前記カラー素子がフォトルミネッセンス素子である、請求項５に記載の方法。
【請求項７】
前記カラー素子が、少なくとも部分的に紫外光を吸収し、且つＵＶ光を概ね透過する領域によって互いに離隔して配置される、請求項１乃至６の何れか一項に記載の方法。
【請求項８】
前記転写キャリアの除去後に、前記バスバー上に透明導体層を形成するステップであって、前記透明導体層が、十分な強度及び持続時間のＵＶ光に露光された後に、実質的に非導電性となり得る、ステップと；
前記カラー素子間の空間に対応する前記導体層の領域において導電性が実質的に失われるように、前記ディスプレイ基材を通して、十分な強度及び持続時間のＵＶ光で前記導体層を照明するステップと；
をさらに包含し、それによって各々がバスバート電気的に接触している複数の透明電極トラックが形成される、請求項７に記載の方法。
【請求項９】
前記転写キャリアの除去後に、前記バスバー上に透明導体層を形成するステップと；
前記導体層にポジフォトレジスト材料の層を適用するステップと；
前記カラー素子間の空間に対応する前記フォトレジスト材料の露光領域に化学変化を引き起こすのに十分な強度及び持続時間のＵＶ光を、前記ディスプレイ基材を通して前記フォトレジスト材料に照明するステップと；
前記フォトレジストを現像して、前記露光領域内の前記フォトレジストを除去するステップと；
前記フォトレジストが除去された領域内の前記導体層をエッチングするステップであって、それによって、各々がバスバーと電気的に接触している複数の透明電極トラックが形成される、ステップと；
残りのフォトレジストを除去するステップと、
をさらに包含する、請求項７に記載の方法。
【請求項１０】
その上に複数のカラー素子と複数のバスバーとが互いに関して所定の位置に剥離可能に配置されている表面を有する基材を含んで成る転写キャリア。
【請求項１１】
前記表面が平坦である、請求項１０に記載の転写キャリア。
【請求項１２】
前記複数のカラー素子の各々が、前記基材の前記表面上にある概ね透明な誘電体構造上に設けられる、請求項１０又は１１に記載の転写キャリア。
【請求項１３】
前記表面が導電性である、請求項１０乃至１２の何れか一項に記載の転写キャリア。
【請求項１４】
前記カラー素子が光フィルタである、請求項１０乃至１３の何れか一項に記載の転写キャリア。
【請求項１５】
ディスプレイ基材に、互いに関して所定の位置にカラー素子とアドレス指定用バスバーを設ける方法であって：
（ａ）キャリアの平坦な表面上に一連の半透明な誘電体構造を形成するステップであって、前記構造の各々が、カラー素子受容表面領域と隆起凸部を含み、隣り合った誘電体構造が離隔して配置されてその間にトレンチが画定される、ステップと；
（ｂ）前記トレンチの各々を導電性材料で少なくとも部分的に満たすことによって前記バスバーを形成するステップと；
（ｃ）前記カラー素子受容表面領域の各々の上に１つのカラー素子材料を配置するステップであって、それによって、一連のカラー素子が形成される、ステップと；
（ｄ）半透明な接着材料を用いて、前記カラー素子と前記凸部を１つの半透明なディスプレイ基材に固定するステップと；
（ｅ）前記キャリアを除去するステップと、
を包含する、方法。
【請求項１６】
前記カラー素子が光フィルタである、請求項１５に記載の方法。
【請求項１７】
前記光フィルタが少なくとも部分的にＵＶ吸収性である、請求項１６に記載の方法。
【請求項１８】
前記カラー素子材料がインクジェットプリントヘッドを用いて付着される、請求項１５乃至１７の何れか一項に記載の方法。
【請求項１９】
前記バスバーに接触している半透明な導体材料の層を適用するステップと、前記ディスプレイ基材及び前記凸部を透過するＵＶ光によって前記導体材料を処理するステップであって、それによって前記バスバーと位置合わせされ且つ接触している半透明の電極トラックが形成されるステップとをさらに包含する、請求項１７に記載の方法。
【請求項２０】
前記凸部と前記ディスプレイ基材との間に偏光子を設けることをさらに包含する、請求項１５に記載の方法。
【請求項２１】
前記偏光子が、前記カラー素子及び前記凸部上にコーティング可能偏光子層を適用することによって設けられる、請求項２０に記載の方法。
【請求項２２】
前記偏光子が前記ディスプレイ基材上に付着され、前記カラー素子及び前記凸部を前記ディスプレイ基材に固定する前記ステップが、前記カラー素子及び前記凸部を前記偏光子に固定することを包含する、請求項２０に記載の方法。
【請求項２３】
前記凸部と前記ディスプレイ基材との間に光学フィルムを設けることをさらに包含する、請求項１５に記載の方法。
【請求項２４】
前記光学フィルムが補償リターダ(compensation retarder)を含む、請求項２３に記載の方法。
【請求項２５】
カラー素子とカラー素子受容表面領域との間に偏光子を設けることをさらに包含する、請求項１５に記載の方法。
【請求項２６】
前記偏光子が、前記カラー素子材料の付着前に、前記半透明な誘電体構造上にコーティング可能偏光子層を適用することによって設けられる、請求項２５に記載の方法。
【請求項２７】
前記カラー素子材料の付着前に、各カラー素子受容表面領域上に透明導電層を設けることをさらに包含する、請求項１５に記載の方法。
【請求項２８】
前記透明導電層が均一にコーティングされ、乾燥する際に、前記隆起凸部によって決定されるパターニングされた層を形成する、請求項２７に記載の方法。
【請求項２９】
前記キャリアの前記表面が導電性であり、前記バスバーが電気めっきによって形成される、請求項１５乃至２８の何れか一項に記載の方法。
【請求項３０】
ディスプレイ基材に、互いに関して所定の位置に光フィルタとアドレス指定用バスバーを設ける方法であって：
転写キャリアの表面上に前記光フィルタ及び前記バスバーを形成すること；
前記ディスプレイ基材に前記光フィルタ及び前記バスバーを付着させること；及び
前記転写キャリアを除去すること、
を包含する、方法。
【請求項３１】
ディスプレイ基材に、互いに関して所定の位置に光フィルタとアドレス指定用バスバーを設ける方法であって：
（ａ）キャリアの平坦な表面上に一連の半透明な誘電体構造を形成するステップであって、前記構造の各々が、フィルタ受容表面領域と隆起凸部を含み、隣り合った誘電体構造が離隔して配置されてその間にトレンチが画定される、ステップと；
（ｂ）前記トレンチの各々を導電性材料で少なくとも部分的に満たすことによって前記バスバーを形成するステップと；
（ｃ）前記フィルタ受容表面領域の各々の上に１つの光フィルタ材料を付着させるステップであって、それによって、一連の光フィルタが形成される、ステップと；
（ｄ）半透明な接着材料を用いて、前記光フィルタと前記凸部を１つの半透明なディスプレイ基材に固定するステップと；
（ｅ）前記キャリアを除去するステップと、
を包含する、方法。
【請求項３２】
ディスプレイ基材に、互いに関して所定の位置にカラーフィルタとアドレス指定用バスバーを設ける方法であって：
（ａ）キャリアの平坦な導電性表面上に一連の半透明な誘電体構造を形成するステップであって、前記構造の各々が、濡れ性表面領域と隆起凸部を含み、隣り合った誘電体構造が離隔して配置されてその間にトレンチが画定される、ステップと；
（ｂ）前記トレンチの各々を電気めっきにより金属で少なくとも部分的に満たすことによって前記バスバーを形成するステップと；
（ｃ）インクジェット印刷によって、前記濡れ性表面領域の各々の上に着色材料を付着させるステップであって、それによって、一連のカラーフィルタが形成される、ステップと；
（ｄ）半透明な接着材料を用いて、前記カラーフィルタと前記凸部を１つの半透明なディスプレイ基材に固定するステップと；
（ｅ）前記キャリアを除去するステップと、
を包含する、方法。
【発明の詳細な説明】
【技術分野】
【０００１】
本発明は、互いに関して所定の位置にカラー素子とアドレス指定用バスバーとをディスプレイ基材に適用する方法に関する。カラー素子は、基材のカラー素子マトリックスを構成することができる。
【背景技術】
【０００２】
用語「カラー素子」は、ここでは、ディスプレイが適切に駆動される際に有色光を放射、透過、反射又は散乱させるディスプレイ構成要素を表すのに用いる。当該用語には、特定波長の光を吸収する光フィルタ、並びに波長応答性の反射体や散乱体及び蛍光性材料や燐光性材料のような他の構成要素が含まれる。一般的に、カラー素子は、カラーフィルタマトリックスの一部であるところの光フィルタである。燐光性カラー素子を採用したディスプレイについては、米国特許第４，８３０，４６９号及び米国特許第５，６０８，５５４号に記載がある。
【０００３】
カラー素子マトリックスは、光バルブタイプのバックライト式ディスプレイ、例えば液晶偏光スイッチ型ディスプレイ、において最もコストのかかる構成要素の１つである。カラー素子は、色の視差を回避すべく、電気−光切替え層に物理的に近接している必要があり、ＲＧＢカラーストライプの場合には、少なくとも「列」電極パターンと位置合わせされなければならない。この位置合わせを達成するのが難しいために、製造コストはさらに嵩む。
【０００４】
既知の製造工程には、最終的なディスプレイ基材上にカラーマトリックスをパターニングすること、マトリックスを平坦化すること、その後、ディスプレイセルを形成することが包含される。これによって、電気−光スイッチとカラーフィルタ素子との間の距離は最小限度に抑えられるものの、非常にコストがかかり、何度もリソグラフィステップを実行する必要がある。
【０００５】
パッシブアドレス指定方式の英数字液晶ディスプレイ（ＬＣＤ）のための電極パターンを形成する方法については、米国特許第３，９０２，７９０号に記載がある。当該方法は、文字が表示されないエリア内にあるバスバー及び他の導電性素子のために金めっきされたストライプを配設して、ディスプレイ文字間に高い導電性の経路を設けて成る。所定のチャネル内にインクジェット印刷法によってＬＣＤ用のカラーフィルタを形成する方法については、日本国特許出願公開第２００３０３５８１４号、日本国特許出願公開第１１１４２６４１号、米国特許第５，５５２，１９２号及び米国特許第５，５７６，０７０号に記載がある。バスバーは、他のタイプのディスプレイ、例えば対応する薄膜トランジスタ（ＴＦＴ）によって各ピクセルの動作が制御されるアクティブマトリックスＬＣＤをアドレス指定するのにも用いられる。
【発明の開示】
【発明が解決しようとする課題】
【０００６】
【課題を解決するための手段】
【０００７】
本発明の一態様によれば、ディスプレイ基材に、互いに関して所定の位置にカラー素子とアドレス指定用バスバーを適用する方法が提供され、当該方法は：
転写キャリアの表面に前記カラー素子と前記バスバーを形成すること；
前記カラー素子及び前記バスバーを前記ディスプレイ基材に付着させること；及び
前記転写キャリアを除去すること、
を包含する。
【０００８】
好ましい一実施形態では、カラー素子は光フィルタである。本発明は、文脈上他の意味に解すべき場合を除いて、便宜上、光フィルタに関して説明することとするが、本発明が当該実施形態に限定されるものでないことは理解されたい。
【０００９】
可視光を吸収し色を生成する光フィルタを形成することによって、当該方法は、アドレス指定用バスバーと位置合わせされたカラーフィルタマトリックスを提供することができる。当該方法は、大面積ディスプレイ上のピクセルマトリックスにカラーフィルタマトリックスを正確に位置合わせするのに適している。ディスプレイ基材には、ガラス又はプラスチック材料を用いることができる。さらに、又はそれに代えて、光フィルタはＵＶ光を吸収することができ、それによって、以下にさらに詳細に説明するように、バスバーと自動位置合わせされた透明電極トラックを形成する際に用いることができるようになる。
【００１０】
本発明の他の実施形態では、入射する照明をフィルタリングのみする材料に代えて、フォトルミネッセンス材料又は他の光学的変更をもたらす材料を用いることができる。このタイプのディスプレイについては、「Photoluminescent LCDs (PL-LCDs) Using Phosphors」（W. A. Crossland, I. D. Springle及びA. B. Daveyによる、Society Information Display Proceedings 1997, p837）及び「Light-Efficient Liquid Crystal Displays Using Photoluminescent Color Filters」（S. W. Njo他による、Society Information Display Processings 2000, p343）に記載がある。米国特許第４，８３０，４６９号（Breddels他）には、パターニングされたフォトルミネッセンス材料を光バルブに極めて近接して配置することで、コリーメートされたバックライトが必要とならないため、格別の優位性がある旨記載されている。本発明では、そのようなディスプレイを構成する実用的な手段が提供される。
【００１１】
本法は、細長い平行なライン若しくはストリップであるところのパッシブアドレス指定方式のｘ／ｙマトリックス構造のための基材を製造する際に特に利用され、この用途に関して本発明を例示することとする。しかしながら、バスバーは、他の形状や形態のアドレス指定用金属構造をとることもできる。例えば、バスバーは、アクティブマトリックスＬＣＤのためのアドレス指定用構造として用いることができ、アドレス指定用マトリックスのためのＴＦＴデバイス及びクロスバーを形成することができる。
【００１２】
転写キャリアの表面は平坦であることが好ましく、この平坦性が、カラー素子マトリックス／バスバーの組み合わせの最終的な表面品質を左右する。極めて平坦な表面を有するキャリアを用いることによって、本発明は、別個の平坦化処理を必要とすることなく、カラー素子マトリックス又はマトリックス／バスバーの組み合わせに対して、最終的に極めて平坦な表面をもたらすことができる。表面の平坦なキャリアを用いる利点は、これが転写されることになるディスプレイ基材の表面品質がさほど良好でなくてもよいことである。偏光子が基材の内側表面上に張り付けられる場合には、基材の複屈折は重要ではなくなり、複屈折を調整していない基材を用いることができる。
【００１３】
バスバー及びカラーフィルタは、最終的なディスプレイ構造上に接着剤によって転写される。転写キャリア上におけるバスバーとカラーフィルタの互いに対する位置は、ディスプレイ基材上でも保持される。転写ステップの前に、同じく転写され、最終的にディスプレイの内側に配置される１つ又は複数の光学フィルム、例えば偏光子や補償リターダを配置することもできる。偏光子は、基材表面とカラーフィルタマトリックスとの間に接着される従来の構成から成ることができるか、又は偏光子としてカラーフィルタマトリックス若しくは基材表面上にコーティングすることのできるコーティング可能偏光子を用いることができる。本明細書では、用語「光学フィルム」とは、その上に入射する光の少なくとも１つの特性を変更する薄膜を表すのに用いられる。
【００１４】
本発明の他の態様によれば、ディスプレイ基材に、互いに関して所定の位置に光フィルタとアドレス指定用バスバーを設ける方法が提供され、当該方法は：
（ａ）キャリアの平坦な表面上に一連の半透明な誘電体構造を形成するステップであって、構造の各々がカラー素子受容表面領域と隆起凸部を含み、隣り合った誘電体構造が離隔して配置されることでその間にトレンチが画定される、ステップと、
（ｂ）前記トレンチの各々を導電性材料で少なくとも部分的に満たすことによって、前記バスバーを形成するステップと、
（ｃ）前記カラー素子受容表面領域の各々の上に１つのカラー素子材料を配置するステップであって、それによって、一連のカラー素子が形成される、ステップと、
（ｄ）半透明な接着材料を用いて、前記カラー素子と前記凸部を１つの半透明なディスプレイ基材に固定するステップと、
（ｅ）キャリアを除去するステップと、
を包含する。
【００１５】
誘電体構造は、任意の適切な手段、例えばエンボス加工、マイクロモールディング、レーザアブレーション又はフォトリソグラフィによって、キャリア上に形成することができる。好ましい一実施形態では、誘電体材料は光学的に透過性であり、参照することでここにその内容を取り入れることとするＷＯ９６／３４９７１に開示されるようなＵＶマイクロモールディングによって形成される。
【００１６】
カラー素子材料には、カラーフィルタ材料を用いることができ、カラー素子には、カラーフィルタを用いることができる。
【００１７】
本発明の一実施形態では、同じ誘電体構造を用いて、バスバーを配置する位置の画定、並びにカラー素子材料を配置し得る画定チャネルの形成の両方を実施する。素子受容表面は概ね平坦であるが、披着されるカラー素子材料が濡れたまま広がり、そこに馴染むのを促進するために、適切に粗くすることが好ましい。カラー素子材料を配置する好ましい方法は、インクジェット付着、例えばドロップ・オン・デマンドインクジェット印刷法による。
【００１８】
バスバーとカラー素子を最終的な基材に転写した後に、透明な導電性材料（例えば、ＰＥＤＯＴ又はＩＴＯ）を適用し、必要に応じて、逐次的な位置合わせ技法（例えば、レーザアブレーション）を用いることにより、又はシャドーイング／アライメントシステムとしてカラーフィルタ／バスバー構成を用いることにより、パターニングする。
【００１９】
本発明のさらに他の実施形態では、英国特許第０４２３１３４．６号に記載の技法を用いて、カラーフィルタ材料を配置する前に、画定されたチャネル内に透明な導電性材料を配置することを伴う。当該実施形態では、透明な導体のためにグラビアコーティング若しくはスロットコーティングのような単純な均一コーティング技法を用いることにより、同じ隆起構造を用いて、電極をパターニングするための場所が直ちに画定されるというさらに別の利点もある。
【００２０】
カラー素子マトリックスが存在しない場合であっても、素子とバスバーの組み合わせを用いることで、バスバーと位置合わせされた透明な電極構造を設けることができる。カラー素子の代わりに、他の素子材料、例えばＵＶ吸収性フィルタをＵＶ透過性誘電体構造と共に用いることによって、カラー素子が存在する場合と同様にして電極構造をパターニングすることができる。
【００２１】
トレンチ及び凸部は、通常、基材の長さにわたって延在することになる直線的な構造であろう。任意の所望の間隔を用いることができ、例えば、それらの構造は５０〜２００μｍ、とりわけ約１００μｍだけ離隔することができ、長さは数メートルに及ぶことができる。カラー素子受容領域は、カラー素子材料による表面濡れを促進するために粗くすることが好ましいが、凸部の上側は、濡れが生じないように且つ１つの色材料が隣接するチャネルに流れ込まないようにするために、滑らかにしたり又は他の方法で表面処理することが好ましい。
【００２２】
本発明の他の態様及び利点は、以下の明細書、図面及び特許請求の範囲において明らかになるであろう。
【００２３】
以下、専ら例示目的で、添付の図面を参照しつつ本発明をさらに説明することとする。
【発明を実施するための最良の形態】
【００２４】
図面においては、本発明の図解を補助するために、種々の部分を拡大若しくは縮小している。即ち、図面は一定の縮尺で描かれていない。
【００２５】
本発明で用いるための転写キャリア１を図１に示す。キャリア１は、ベースフィルム２と、その上にコーティングされた平坦な導電層３とを備える。キャリア１は、硬質、軟質のいずれともし得る。この例では、ベースフィルム２は、１５０μｍ厚のＰＥＴであり、導電層３は、約１μｍ厚の銅金属である。この例では、銅導電層３は、光学的に平坦であり且つ０．１Ｎの重クロム酸カリウム溶液内に５分間浸漬し、脱イオン水で洗浄し、空気乾燥することによって不動態化された、露出表面を有する。
【００２６】
次に図２〜図５及び図２９を参照すると、本発明の一実施形態によれば、ブロック３３として示す第１の概略ステップは、転写キャリア基材上にカラー素子（この実施形態では、光フィルタ）とバスバーを形成することである。キャリア１の導電層３の露出表面上に、粗さを調整した多段の誘電体構造４のパターンを形成する（図２）。当該誘電体材料は光学的に透過性であり、この例では、ＷＯ第９６／３５９７１号に開示されるようなマイクロモールディングによって形成される。誘電体構造４は、一連の平行なトレンチ５によって互いに分離されており、トレンチ内には後にバスバーが形成される。構造４の各々は、粗い平坦なエリア６と、隆起凸部７とを含む。平坦なエリア（フィルタ受容表面）６は、カラーフィルタ層を受容することになり、凸部７は、カラーフィルタを分離することになる。トレンチと凸部は、概ね直線的な構造であり、それらの構造が転写される基材の長さ又は幅にわたって延在するであろう。それらの構造は、通常、約１００μｍだけ離隔し、長さが何メートルにも及ぶ。粗い平坦な表面６は、吐出されるインクジェットコーティングが広がるのを可能とし、そして任意選択的に、濡れを促進するように処理することができる。凸部７は滑らかであり、そして任意選択的に、濡れが生じないように且つ１つの色材料が隣接する平坦なエリアに流れ込まないように処理することができる。
【００２７】
次に図３を参照すると、トレンチ５内に導電性材料８が形成されている。当該導電性材料は金属であることが好ましく、この例では、付加的な電鋳法によって形成される。導体３は、電解槽のカソードを形成し、アノードはニッケルであり、電解質は標準的なスルファミン酸ニッケル系の電解質であることが好ましい。ＤＣによってめっきを実行することができ、パルス又はＡＣバイアス電流を用いて、トレンチが完全に満たされる。他の既知の電気めっき若しくは無電解めっき技法を用いることもできる。適切な金属としては、ニッケル、銅及び金が挙げられる。
【００２８】
生じた金属化された構造を、カラーフィルタ材料でコーティングする（図４及び図５）。この例では、当該材料は、色を受容する平坦なエリア６内にインクジェット印刷することによって配置され、赤９、緑１０及び青１１の３つ１組のカラーフィルタが形成される。任意選択的に、他の色の組み合わせを用いることもできる。あるいはまた、後述する一実施形態については、フィルタ９、１０、１１は、ＵＶ吸収性であるが、可視光の全ての波長を概ね透過することができる。好ましい一実施形態では、カラーフィルタ材料は、染料によって着色されたＵＶ硬化性樹脂である（Brewer Science, Inc PDC）。適切なインクジェットノズルの例には、サーマルノズル及び圧電ノズルが含まれるが、他の付着手段及び付着技法を用いることもできる。フィルタ材料は平坦な領域６にわたって広がることができ且つ隣接するチャネルに流れ込まないように凸部７によって阻止されるため、液滴の位置合わせは重要ではない。フィルタ材料９、１０、１１は、コーティング後に、例えばＵＶ露光及び／又は熱処理によって硬化させることができる。
【００２９】
次に図６及び図２９を参照すると、ブロック３４として示す次の概略ステップは、光フィルタ（カラー素子）とバスバーをディスプレイ基材に付着させることである。カラー素子９、１０、１１を硬化させた後に、生じた構造を転写接着剤１２で処理し、そして最終的なディスプレイ基材１３が張り付けて、接着剤１２を硬化させる（図６）。好ましい一実施形態では、転写接着剤１２は、ＮＯＡ８１（Norland Optical Products）のようなＵＶ硬化性材料であるが、熱硬化又は湿分硬化させることもできる。ディスプレイ基材１３は、プラスチック材料、例えばＰＥＮ（DuPont Teijin Teonex Q65）、ＰＥＳ（Sumitomo Bakelite）又はポリアリレート（Ferrania SpA-Arylite）であることが好ましいが、ガラス、好ましくはＵＶ半透過性のガラスから構成することもできる。
【００３０】
キャリア１は、この例では、転写キャリアを剥離することによって除去され（図２９、ブロック３５）、図７に示すカラー素子／バスバー積層体が残る。
【００３１】
本発明の他の実施形態を、図１〜図７及び図３０を参照しながら例示する。ブロック３６として示す第１の概略ステップにおいて、一連の半透明の誘電体構造４をキャリア１の平坦な表面上に形成するのであるが、誘電体構造４の各々はカラー素子受容表面領域６（この例では、フィルタ受容表面領域６）と隆起凸部７を含み、隣り合った誘電体構造４は離隔して配置されてその間にトレンチ５が画定される（図２）。ブロック３７として示す次の概略ステップにおいて、トレンチ５を導電性材料で少なくとも部分的に満たすことによって、バスバー８を形成する（図３）。ブロック３８として示す次の概略ステップにおいて、各カラー素子受容表面領域６上に光フィルタ（カラー素子）材料を配置し、一連の光フィルタ９、１０、１１を形成する（図４及び図５）。ブロック３９として示す次の概略ステップにおいて、半透明の接着材料１２を用いて、光フィルタ９、１０、１１と凸部７を半透明のディスプレイ基材１３に固定する（図６）。ブロック４０として示す次のステップにおいて、キャリア１を除去する（図７）。例示した実施形態では、後述するように、任意選択の処理ステップをさらに実行する。
【００３２】
電極を形成するために、図８に示すように、積層構造の剥離された表面上に、透明導体１４を配置する。導体１４は、酸化インジウム、酸化スズ、酸化インジウムスズ（ＩＴＯ）等を含むことができるが、ＰＥＤＯＴ：ＰＳＳ（Bayer Baytron P）のような有機導体であることが好ましい。
【００３３】
次いで、透明導体１４を選択的にエッチング若しくはパターニングして、透明電極１７を設ける。図９に示す実施形態では、導体１４は、積層体を反対（基材１３）側から照明することによってフォトパターニングされる。カラーフィルタ９、１０、１１は少なくとも部分的にＵＶに対し非透過性であり、一方、基材１３、転写接着剤１２及び誘電体４は透過性である。従って、ＵＶ透過性エリアは、概ね隆起凸部７のみになる。この方法は、フィルタ材料の配置に不具合がある結果としてその層内に穴が生じても、その場所にある透明電極は除去されことになり、結果として、そのエリア内に電気−光スイッチが存在しなくなるという別の利点を有する。好ましい実施形態では、ＰＥＤＯＴ：ＰＳＳを入射ＵＶ光によって直に漂白することで、電極構造１７を形成することができる。あるいはまた、後述するように、標準的なフォトレジスト及びエッチングを用いることができる。生じたディスプレイ基材は、所定の位置にカラーフィルタ、バスバー及び透明電極を有する。当該ディスプレイ基材は、ディスプレイ製造の技術分野における当業者にもともと周知の製造技法を用いて、ディスプレイ、例えば液晶ディスプレイに組み込むことができる。
【００３４】
次に図１０〜図１３を参照すると、当該工程の変更形態が例示されており、そこでは、コーティング可能な偏光子層１５ａが、図５記載のカラーフィルタ積層構造上に適用されている。コーティング可能な偏光子層１５ａを硬化させた後に、生じた構造を、転写接着剤１２を用いてディスプレイ基材１３に付着させ、その後、キャリア１を除去し、透明導体１４を適用し、先述したように透明電極１７を形成する。適切なコーティング可能な偏光子材料はOptiva, Incによって市販されている。コーティング可能な偏光子については、Bobrov, Y.、Cobb, C.、Lazarev, P.、Bos, P.、Bryand, D.、Wonderly, H.著「Lyotropic Thin Film Polarisers」（Society for Information Display, Int. Symp. Digest of Technical Papers, Long Beach, California May 16-18, 2000, Vol. XXXI, 1102-1107）に記載がある。
【００３５】
図１４〜図１７に関して例示する工程は、図６〜図９に関して例示する工程に類似するが、図５記載のカラーフィルタ／バスバー構造が光学フィルム１５、この例では偏光子に付着され、その光学フィルム１５がさらにディスプレイ基材１３に接着されているという違いがある。従来の偏光子をディスプレイ基材に付着させるための方法は、ＬＣＤ製造の技術分野における当業者には周知であろう。任意選択的に、電気光学層境界面の平坦性及び性能に影響を及ぼすことなく、ディスプレイの内側に、補償リターダのような他の光学フィルム１５を張り付けることもできる。
【００３６】
図１６記載の透明導体層１４から電極トラック１７を形成する代替的な方法を、図１８〜図２２に例示する。ポジフォトレジスト材料１６（Shipley 1805）を透明導体１４にコーティングする（図１８）。基材１３を透過するＵＶ照明によって、ＵＶ光が凸部７を透過し（図１９）、それによって凸部７に対応した領域内にあるレジスト１６が硬化する。レジスト１６を現像して（Shipley Microposit Developer）露光された材料を除去し（図２０）、次いで、透明導体１４を湿式エッチング若しくは乾式エッチングし（例えば、次亜塩素酸ナトリウム溶液による）、電極トラック１７を形成する（図２１）。最後に、レジスト１６を除去して、図１７に示すように、電極トラックを有する最終的な基材が残される。レジスト１６は、標準的な溶媒若しくは市販のレジスト剥離剤、例えばアセトンによって除去することができる。
【００３７】
カラーフィルタを必要としないディスプレイ基材については、バスバーは、上記の技法を用いて、その上に形成された透明電極構造と位置合わせすることができるが、但し、可視光をほとんどあるいは全く吸収しないＵＶ吸収性フィルタ９、１０及び１１を用いる。
【００３８】
次に図２２及び図２３を参照すると、本発明の一態様に従って製造される基材を用いた電気光学ディスプレイデバイスの一例が示される。この例では、デバイスは液晶ディスプレイ（ＬＣＤ）であるが、それらの基材は、他のタイプのディスプレイデバイスにも用いることができる。当該デバイスは、第１のディスプレイ基材１３と、第２のディスプレイ基材１８とを備え、その各々には、既知の方法で付着された偏光子１５が設けられている。図１７に示す構造は、液晶材料２７の分子に所望の局所的で均一な配向を促すための配向層１９が設けられている。第２の基材１８上にある偏光子１５は、接着剤層１５によって、ＵＶ遮断層２１に固定されている。ＵＶ遮断層２１は、２０として概略的に示す層内のバスバー上に電極トラック１７を形成するために用いられている。層２０は、バスバー、誘電体構造及びＵＶフィルタ（図示せず）から構成される。下側電極構造１７にも、配向層１９が設けられている。当業者に既知の任意の所望の配向層１９、例えばラビングされたポリイミドを用いることができる。ディスプレイモードのタイプに応じて、２つの配向層は同じタイプの配向（例えば平面、傾斜平面、又はホメオトロピック）又は異なるタイプの配向を誘発することができる。両方の配向層１９が平面配向又は傾斜平面配向を生成する場合、配向の方向は、同じであっても、違っていてもよい。例えば、ねじれネマチックディスプレイにおいては、両方の配向層が平面配向を誘発することができ、その配向の向きは垂直である。
【００３９】
ディスプレイは、液晶材料２７を保持する周囲シール材２５が設けられている。図２３に示す例では、複数のバスバー２２が行アドレス指定電極を形成し、複数のバスバー２３が列アドレス指定電極を形成する。行電極及び列電極が重なり合う場所にピクセル２６が画定され、また、複数の領域において適切なピクセルを横切って十分な電圧が印加されると、ピクセル領域内の液晶の光学的な挙動が変更され、それによってディスプレイを偏光子１５間で視認する際に可視的変化が生じ、その領域内に文字又は他の印が表示され得る。
【００４０】
任意選択的に、もともと既知の他の機構を、従来の手段によって、ディスプレイ内に収容することができる。それらの例には、バックライト及び１つ若しくは複数のグレア防止層が含まれる。
【００４１】
各バスバー８は、それに関連する電極トラック１７の中央に存在する必要はなく、トラック上の任意の所望の接触線に配置することができる。図２４には、転写キャリアの一部が示されており、バスバー８は、平坦な導電性表面３上に、凸部７に隣接して形成される。次いで、凸部７を通して透明導体をＵＶに露光すると、バスバーが対応する透明電極トラックの片側に位置合わせされるであろう。
【００４２】
カラー素子及びバスバー構造と位置合わせされた透明導体を形成するためのさらに別の代替方法を、図２５及び図２６に示す。最初に、キャリア１を、図１〜図３記載のように処理する。図２５は、既知の手段（例えばグラビア又はスロットコーティング）による、希薄溶液系透明導体３０（例えば、ＰＥＤＯＴ：ＰＳＳ  Baytron P）の配置を示している。図２６は、溶媒を除去し、必要に応じて、その材料を熱又は放射線によって加熱乾燥し、別個の薄い透明な導電性エリア１７を形成した後の処理済キャリアを示している。透明な導電性材料とパターニングされた誘電体層との間の表面相互作用によって、透明導体は凸部構造を越えて連続層を形成しないようになり、結果として、その手段によってパターニングされる。カラーフィルタ又は他の材料を付着させるための後続ステップは、図４〜図７において説明し図示したようにして行われる。
【００４３】
放射性カラーマトリックスを形成するさらに他の代替手段を、図２７及び図２８に示しており、そこでは、フォトルミネッセンス光学層及び適切な波長のバックライトを、可視波長バックライト及び光学カラーフィルタの代わりに用いる。最初に、キャリア１を、図１〜図３において先述したように処理する。透明電極は、図２５及び図２６において先述したように配置し、パターニングすることが好ましい。偏光状態変換光バルブＬＣの効果を利用する場合には、図２７に示すような、チャネルを画定する透明樹脂の表面にある位置合わせ構造をはじめとする任意の適切な手段によって、コーティング可能偏光子１５ａをチャネルに配置し、位置合わせする。図２８は、例えばインクジェット印刷法によりフォトルミネッセンス材料を配置することによって、透明導体１７及び偏光子１５ａが既にその中に配置されているチャネル内に、赤色９、緑色１０及び青色１１のパターニングされた放出器をそれぞれ形成することを示している。先行又は後続の材料を配置して、その効果の光学的効率を高めることもできる（例えば、周囲光の反射を低減するためにフォトルミネッセンス層の上にカラーフィルタを、又は後方散乱放射を低減するためにフォトルミネッセンス層の下に反射性材料を）。キャリア及び最終的なディスプレイ基材を上記のように張り合わせ、転写し、その結果、基材１３が完成する。
【００４４】
図２９は、本発明のこの態様に従って製造される基材を用いた電気光学ディスプレイデバイスを示している。第２のディスプレイ基材１４が準備され、この実施形態では、ＬＣ光バルブは、配向層１９と、適切な電気光学セル間隔及び構成を有する液晶層２７とを用いることで、既知の方法により実現される。この例では、紫外光を放射するバックライト３１が、偏光子１５によって偏光される。ＵＶ光が第２の偏光子１５ａを通ってフォトルミネッセンス層９、１０若しくは１１に入ると、広角の視野及び光学的な効率を得るのに望ましい散乱様式にて狭帯域の可視光３２（即ち、それぞれ赤色、緑色又は青色）が放出される。
【００４５】
本明細書において用いるとき、「１つの（ａ）」及び「１つの（ａｎ）」は、文脈上許される場合には、「少なくとも１つの」を表す。
【００４６】
明瞭にすべく別個の実施形態に関して記載した本発明の特定の特徴は、単一の実施形態に組み合わせてもたらし得ることも理解されたい。反対に、簡潔にすべく単一の実施形態に関して記載した本発明の種々のメカニズムは、個別に又は任意の適切な組み合わせにおいてもたらすこともできる。
【００４７】
本発明の範囲から逸脱することなく、上記の構成要素の構成及び配列に、種々の変更、改良、及び／又は付加をなし得ることを理解されたい。
【００４８】
本特許出願が優先権を主張する、英国特許出願第０４０６３１０．３号の開示内容は、参照することによって本明細書に取り入れることとする。
【００４９】
本特許出願が優先権を主張する、英国特許出願第０４２３１３４．６号の開示内容は、参照することによって本明細書に取り入れることとする。
【図面の簡単な説明】
【００５０】
【図１】本発明の一実施形態による、所定の位置にカラーフィルタ、バスバー及び電極トラックを有するディスプレイ基材の各製造段階を示す図
【図２】本発明の一実施形態による、所定の位置にカラーフィルタ、バスバー及び電極トラックを有するディスプレイ基材の各製造段階を示す図
【図３】本発明の一実施形態による、所定の位置にカラーフィルタ、バスバー及び電極トラックを有するディスプレイ基材の各製造段階を示す図
【図４】本発明の一実施形態による、所定の位置にカラーフィルタ、バスバー及び電極トラックを有するディスプレイ基材の各製造段階を示す図
【図５】本発明の一実施形態による、所定の位置にカラーフィルタ、バスバー及び電極トラックを有するディスプレイ基材の各製造段階を示す図
【図６】本発明の一実施形態による、所定の位置にカラーフィルタ、バスバー及び電極トラックを有するディスプレイ基材の各製造段階を示す図
【図７】本発明の一実施形態による、所定の位置にカラーフィルタ、バスバー及び電極トラックを有するディスプレイ基材の各製造段階を示す図
【図８】本発明の一実施形態による、所定の位置にカラーフィルタ、バスバー及び電極トラックを有するディスプレイ基材の各製造段階を示す図
【図９】本発明の一実施形態による、所定の位置にカラーフィルタ、バスバー及び電極トラックを有するディスプレイ基材の各製造段階を示す図
【図１０】本発明の代替実施形態による、製造方法の各段階を示す図
【図１１】本発明の代替実施形態による、製造方法の各段階を示す図
【図１２】本発明の代替実施形態による、製造方法の各段階を示す図
【図１３】本発明の代替実施形態による、製造方法の各段階を示す図
【図１４】本発明の別の代替実施形態による、デバイス基材を製造する方法の各段階を示す図
【図１５】本発明の別の代替実施形態による、デバイス基材を製造する方法の各段階を示す図
【図１６】本発明の別の代替実施形態による、デバイス基材を製造する方法の各段階を示す図
【図１７】本発明の別の代替実施形態による、デバイス基材を製造する方法の各段階を示す図
【図１８】本発明のさらに別の代替実施形態による、デバイス基材を製造する方法の各段階を示す図
【図１９】本発明のさらに別の代替実施形態による、デバイス基材を製造する方法の各段階を示す図
【図２０】本発明のさらに別の代替実施形態による、デバイス基材を製造する方法の各段階を示す図
【図２１】本発明のさらに別の代替実施形態による、デバイス基材を製造する方法の各段階を示す図
【図２２】本発明の一実施形態に従って製造されたディスプレイ基材が組み込まれているディスプレイデバイスの概略断面図
【図２３】本発明の一実施形態に従って製造されたディスプレイ基材が組み込まれているディスプレイデバイスの概略断面図
【図２４】本発明の別の代替実施形態を例示する、図３に対応する斜視図
【図２５】本発明の別の代替実施形態による、パターニングされた透明電極構造の形成を示す図
【図２６】本発明の別の代替実施形態による、パターニングされた透明電極構造の形成を示す図
【図２７】本発明のさらに別の実施形態による、放射性カラーマトリックスの形成を示す図
【図２８】本発明のさらに別の実施形態による、放射性カラーマトリックスを用いるディスプレイの形成を示す図
【図２９】本発明の実施形態による方法の実行ステップを例示する流れ図
【図３０】本発明の実施形態による方法の実行ステップを例示する流れ図
【図１】
2007534982.tif 000003
【図２】
2007534982.tif 000004
【図３】
2007534982.tif 000005
【図４】
2007534982.tif 000006
【図５】
2007534982.tif 000007
【図６】
2007534982.tif 000008
【図７】
2007534982.tif 000009
【図８】
2007534982.tif 000010
【図９】
2007534982.tif 000011
【図１０】
2007534982.tif 000012
【図１１】
2007534982.tif 000013
【図１２】
2007534982.tif 000014
【図１３】
2007534982.tif 000015
【図１４】
2007534982.tif 000016
【図１５】
2007534982.tif 000017
【図１６】
2007534982.tif 000018
【図１７】
2007534982.tif 000019
【図１８】
2007534982.tif 000020
【図１９】
2007534982.tif 000021
【図２０】
2007534982.tif 000022
【図２１】
2007534982.tif 000023
【図２２】
2007534982.tif 000024
【図２３】
2007534982.tif 000025
【図２４】
2007534982.tif 000026
【図２５】
2007534982.tif 000027
【図２６】
2007534982.tif 000028
【図２７】
2007534982.tif 000029
【図２８】
2007534982.tif 000030
【図２９】
2007534982.tif 000031
【図３０】
2007534982.tif 000032
【手続補正書】
【提出日】平成17年9月19日(2005.9.19)
【手続補正１】
【補正対象書類名】特許請求の範囲
【補正対象項目名】全文
【補正方法】変更
【補正の内容】
【特許請求の範囲】
【請求項１】
ディスプレイ基材に、互いに関して所定の位置にカラー素子とアドレス指定用バスバーを設ける方法であって：
（ａ）キャリアの平坦な表面上に一連の半透明な誘電体構造を形成するステップであって、前記構造の各々が、カラー素子受容表面領域と隆起凸部を含み、隣り合った誘電体構造が離隔して配置されてその間にトレンチが画定される、ステップと；
（ｂ）前記トレンチの各々を導電性材料で少なくとも部分的に満たすことによって前記バスバーを形成するステップと；
（ｃ）前記カラー素子受容表面領域の各々の上に１つのカラー素子材料を配置するステップであって、それによって、一連のカラー素子が形成される、ステップと；
（ｄ）半透明な接着材料を用いて、前記カラー素子と前記凸部を１つの半透明なディスプレイ基材に固定するステップと；
（ｅ）前記キャリアを除去するステップと、
を包含する、方法。
【請求項２】
前記カラー素子が光フィルタである、請求項１に記載の方法。
【請求項３】
前記光フィルタが少なくとも部分的にＵＶ吸収性である、請求項２に記載の方法。
【請求項４】
前記カラー素子材料がインクジェットプリントヘッドを用いて付着される、請求項１乃至３の何れか一項に記載の方法。
【請求項５】
前記バスバーに接触している半透明な導体材料の層を適用するステップと、前記ディスプレイ基材及び前記凸部を透過するＵＶ光によって前記導体材料を処理するステップであって、それによって前記バスバーと位置合わせされ且つ接触している半透明の電極トラックが形成されるステップとをさらに包含する、請求項３に記載の方法。
【請求項６】
前記凸部と前記ディスプレイ基材との間に偏光子を設けることをさらに包含する、請求項１に記載の方法。
【請求項７】
前記偏光子が、前記カラー素子及び前記凸部上にコーティング可能偏光子層を適用することによって設けられる、請求項６に記載の方法。
【請求項８】
前記偏光子が前記ディスプレイ基材上に付着され、前記カラー素子及び前記凸部を前記ディスプレイ基材に固定する前記ステップが、前記カラー素子及び前記凸部を前記偏光子に固定することを包含する、請求項６に記載の方法。
【請求項９】
前記凸部と前記ディスプレイ基材との間に光学フィルムを設けることをさらに包含する、請求項１に記載の方法。
【請求項１０】
前記光学フィルムが補償リターダ(compensation retarder)を含む、請求項９に記載の方法。
【請求項１１】
カラー素子とカラー素子受容表面領域との間に偏光子を設けることをさらに包含する、請求項１に記載の方法。
【請求項１２】
前記偏光子が、前記カラー素子材料の付着前に、前記半透明な誘電体構造上にコーティング可能偏光子層を適用することによって設けられる、請求項１１に記載の方法。
【請求項１３】
前記カラー素子材料の付着前に、各カラー素子受容表面領域上に透明導電層を設けることをさらに包含する、請求項１に記載の方法。
【請求項１４】
前記透明導電層が均一にコーティングされ、乾燥する際に、前記隆起凸部によって決定されるパターニングされた層を形成する、請求項１３に記載の方法。
【請求項１５】
前記キャリアの前記表面が導電性であり、前記バスバーが電気めっきによって形成される、請求項１乃至１４の何れか一項に記載の方法。
【請求項１６】
ディスプレイ基材に、互いに関して所定の位置に光フィルタとアドレス指定用バスバーを設ける方法であって：
転写キャリアの導電性表面上に前記光フィルタ及び前記バスバーを形成することであって、前記バスバーが前記導電性表面と電気的に接触している、形成すること；
前記ディスプレイ基材に前記光フィルタ及び前記バスバーを付着させること；及び
前記転写キャリアを除去すること、
を包含する、方法。
【請求項１７】
ディスプレイ基材に、互いに関して所定の位置に光フィルタとアドレス指定用バスバーを設ける方法であって：
（ａ）キャリアの平坦な表面上に一連の半透明な誘電体構造を形成するステップであって、前記構造の各々が、フィルタ受容表面領域と隆起凸部を含み、隣り合った誘電体構造が離隔して配置されてその間にトレンチが画定される、ステップと；
（ｂ）前記トレンチの各々を導電性材料で少なくとも部分的に満たすことによって前記バスバーを形成するステップと；
（ｃ）前記フィルタ受容表面領域の各々の上に１つの光フィルタ材料を配置するステップであって、それによって、一連の光フィルタが形成される、ステップと；
（ｄ）半透明な接着材料を用いて、前記光フィルタと前記凸部を１つの半透明なディスプレイ基材に固定するステップと；
（ｅ）前記キャリアを除去するステップと、
を包含する、方法。
【請求項１８】
ディスプレイ基材に、互いに関して所定の位置にカラーフィルタとアドレス指定用バスバーを設ける方法であって：
（ａ）キャリアの平坦な導電性表面上に一連の半透明な誘電体構造を形成するステップであって、前記構造の各々が、濡れ性表面領域と隆起凸部を含み、隣り合った誘電体構造が離隔して配置されてその間にトレンチが画定される、ステップと；
（ｂ）前記トレンチの各々を電気めっきにより金属で少なくとも部分的に満たすことによって前記バスバーを形成するステップと；
（ｃ）インクジェット印刷によって、前記濡れ性表面領域の各々の上に着色材料を付着させるステップであって、それによって、一連のカラーフィルタが形成される、ステップと；
（ｄ）半透明な接着材料を用いて、前記カラーフィルタと前記凸部を１つの半透明なディスプレイ基材に固定するステップと；
（ｅ）前記キャリアを除去するステップと、
を包含する、方法。
【請求項１９】
ディスプレイ基材に、互いに関して所定の位置に放出性のカラー素子とアドレス指定用バスバーを設ける方法であって：
転写キャリアの表面上に前記放出性カラー素子及び前記バスバーを形成すること；
前記放出性カラー素子及び前記バスバーを前記ディスプレイ基材に付着させること；及び
前記転写キャリアを除去すること、
を包含する、方法。
【請求項２０】
前記カラー素子がフォトルミネッセンス素子である、請求項１９に記載の方法。
【請求項２１】
前記カラー素子が、少なくとも部分的に紫外光を吸収し、且つＵＶ光を概ね透過する領域によって互いに離隔して配置される、請求項１９又は２０に記載の方法。
【請求項２２】
前記転写キャリアの除去後に、前記バスバー上に透明導体層を形成するステップであって、前記透明導体層が、十分な強度及び持続時間のＵＶ光に露光された後に、実質的に非導電性となり得る、ステップと；
前記カラー素子間の空間に対応する前記導体層の領域において導電性が実質的に失われるように、前記ディスプレイ基材を通して、十分な強度及び持続時間のＵＶ光で前記導体層を照明するステップと；
をさらに包含し、それによって各々がバスバート電気的に接触している複数の透明電極トラックが形成される、請求項２１に記載の方法。
【請求項２３】
前記転写キャリアの除去後に、前記バスバー上に透明導体層を形成するステップと；
前記導体層にポジフォトレジスト材料の層を適用するステップと；
前記カラー素子間の空間に対応する前記フォトレジスト材料の露光領域に化学変化を引き起こすのに十分な強度及び持続時間のＵＶ光を、前記ディスプレイ基材を通して前記フォトレジスト材料に照明するステップと；
前記フォトレジストを現像して、前記露光領域内の前記フォトレジストを除去するステップと；
前記フォトレジストが除去された領域内の前記導体層をエッチングするステップであって、それによって、各々がバスバーと電気的に接触している複数の透明電極トラックが形成される、ステップと；
残りのフォトレジストを除去するステップと、
をさらに包含する、請求項２１に記載の方法。
【請求項２４】
ディスプレイ基材に、互いに関して所定の位置にカラー素子とアドレス指定用バスバーを設ける方法であって：
転写キャリアの表面上に前記カラー素子及び前記バスバーを形成すること；
前記ディスプレイ基材に前記カラー素子及び前記バスバーを付着させること；及び
前記転写キャリアを除去すること、
を包含し、
前記カラー素子が、紫外光を少なくとも部分的に吸収し、且つＵＶ光を概ね透過する領域によって互いに離隔して配置されている、方法。
【請求項２５】
前記転写キャリアの除去後に、前記バスバー上に透明導体層を形成するステップであって、前記透明導体層が、十分な強度及び持続時間のＵＶ光に露光された後に、実質的に非導電性となり得る、ステップと；
前記カラー素子間の空間に対応する前記導体層の領域において導電性が実質的に失われるように、前記ディスプレイ基材を通して、十分な強度及び持続時間のＵＶ光で前記導体層を照明するステップと；
をさらに包含し、それによって各々がバスバート電気的に接触している複数の透明電極トラックが形成される、請求項２４に記載の方法。
【請求項２６】
前記転写キャリアの除去後に、前記バスバー上に透明導体層を形成するステップと；
前記導体層にポジフォトレジスト材料の層を適用するステップと；
前記カラー素子間の空間に対応する前記フォトレジスト材料の露光領域に化学変化を引き起こすのに十分な強度及び持続時間のＵＶ光を、前記ディスプレイ基材を通して前記フォトレジスト材料に照明するステップと；
前記フォトレジストを現像して、前記露光領域内の前記フォトレジストを除去するステップと；
前記フォトレジストが除去された領域内の前記導体層をエッチングするステップであって、それによって、各々がバスバーと電気的に接触している複数の透明電極トラックが形成される、ステップと；
残りのフォトレジストを除去するステップと、
をさらに包含する、請求項２４に記載の方法。
【請求項２７】
ディスプレイ基材に、互いに関して所定の位置にカラー素子とアドレス指定用バスバーを設ける方法であって：
転写キャリアの導電性表面上に前記カラー素子及び前記バスバーを形成することであって、前記バスバーが前記導電性表面と電気的に接触している、形成すること；
前記ディスプレイ基材に前記カラー素子及び前記バスバーを付着させること；及び
前記転写キャリアを除去すること、
を包含する、方法。
【請求項２８】
前記バスバーが、電気めっきによって前記導電性表面上に形成される、請求項２７に記載の方法。
【請求項２９】
その上に複数のカラー素子と複数のバスバーとが互いに関して所定の位置に剥離可能に配置されている導電性表面を有する基材を含んで成る転写キャリアであって、前記バスバーが前記導電性表面と電気的に接触している、転写キャリア。
【請求項３０】
前記表面が平坦である、請求項２９に記載の転写キャリア。
【請求項３１】
前記複数のカラー素子の各々が、前記基材の前記表面上にある概ね透明な誘電体構造上に設けられる、請求項２９又は３０に記載の転写キャリア。
【請求項３２】
前記カラー素子が光フィルタである、請求項２９乃至３１の何れか一項に記載の転写キャリア。
【国際調査報告】
2007534982.tif 000033
2007534982.tif 000034
2007534982.tif 000035